(57)【要約】      （修正有）【課題】ベッドの傍に排尿器を設置して用を足すことができ、しかも、排尿した尿は、ベッドの下に置かれた尿瓶に回収されて、臭気も遮断できる、高齢者や病人向けの使い勝手のよい男性用排尿回収器具を提供する。【解決手段】男性用排尿回収器具１は、排尿器２と、その排尿器２を収納する収納容器３と、ベッドの足元に設置される尿瓶４と、前記排尿器２に放出された尿を前記尿瓶４に流し込むホース５と、前記尿瓶４をベッドの足元で固定する尿瓶受け６と、前記収納容器３をベッドに固定する取付具とを備える。【選択図】図１
0003179991.tif 000002
【実用新案登録請求の範囲】
【請求項１】
一端部に男性性器が入る大きさの挿入口を備え、他端部に排出口を備えた円筒状の排尿器と、床に固定される尿瓶と、前記排出口と前記尿瓶の採尿口との間に連結されて、前記排尿器内に放出された尿を前記尿瓶内に流し込むホースと、前記排尿器を収納する収納容器とを備えており、前記収納容器は、ベッドで横臥する人の手の届く範囲の少し高い位置に固定されるもので、下端部が開口され、上端部が前記排尿器の挿入口を塞ぐ形状に成形されており、前記ホースは、弾性を有しており、そのホースを曲げた状態で、その先端に取り付けられた前記排尿器を前記収納容器内に納めると、その湾曲したホースが元の状態に戻ろうとする力によって、前記排尿器の挿入口が前記収納容器内の上端部に押し付けられる長さに設定されていることを特徴とする男性用排尿回収器具。
【請求項２】
前記収納容器には、ベッドに設けられる転落防止柵に勝手反対自在に取り付けることのできる取付具が設けられていることを特徴とする請求項１に記載の男性用排尿回収器具。
【考案の詳細な説明】
【技術分野】
【０００１】  本考案は、ベッドで寝たままでも、排尿を尿瓶に回収することのできる男性用排尿回収器具に関する。
【背景技術】
【０００２】  高齢者や病人になると、ベッドの近くに尿瓶を置いて寝床で用を足すことがある。そうした場合、介護人は、しびんが使われる度に、溜まった尿を捨てに行かなければならない。そうした煩わしさを解消するものとして、下記特許文献１に記載の携帯型便器がある。
【先行技術文献】
【特許文献】
【０００３】
【特許文献１】特開２００１−１４９２６５号公報
【考案の概要】
【考案が解決しようとする課題】
【０００４】  この携帯型便器は、健常者には便利であるが、病室のベッドに常備するには、採尿器の置き場所に困る。また、採尿器に蓋をして臭気を防ぐと、片手では、蓋が取れないので、寝たままの病人が使うには、使い勝手が悪いという問題があった。
本考案は、こうした問題を解決せんとするもので、ベッドの傍に排尿器を設置して用を足すことができ、しかも、排尿した尿は、ベッドの下に置かれた尿瓶に回収されて、不使用時には、臭気も遮断できる、高齢者や病人向けの使い勝手のよい男性用排尿回収器具を提供することを課題とする。
【課題を解決するための手段】
【０００５】  本考案に係る男性用排尿回収器具は、一端部に男性性器が入る大きさの挿入口を備え、他端部に排出口を備えた円筒状の排尿器と、床に固定される尿瓶と、前記排出口と前記尿瓶の採尿口との間に連結されて、前記排尿器内に放出された尿を前記尿瓶内に流し込むホースと、前記排尿器を収納する収納容器とを備えており、前記収納容器は、ベッドで横臥する人の手の届く範囲の少し高い位置に固定されるもので、下端部が開口され、上端部が前記排尿器の挿入口を塞ぐ形状に成形されており、前記ホースは、弾性を有しており、そのホースを曲げた状態で、その先端に取り付けられた前記排尿器を前記収納容器内に納めると、その湾曲したホースが元の状態に戻ろうとする力によって、前記排尿器の挿入口が前記収納容器内の上端部に押し付けられる長さに設定されていることを特徴とする。【０００６】  前記排尿器を収納容器内に収めた状態で、排尿器と尿瓶との間に連結されたホースが若干湾曲するような長さに設定しておく。すると、曲げられたホースが元の状態に戻ろうとする力によって、ホースの上端に連結された排尿器を突き上げる。それによって、収納容器に収められた排尿器は、そこから抜け落ちることはなく、しかも、排尿器は、収納容器の内側からその上端を突き上げるように作用するから、排尿器の上端部に形成された挿入口は、収納容器の内側上端部に形成された窪みに押されて塞がれた状態となる。これにより、例え、尿瓶から臭気が上がってきても、それを外部に漏らすことはない。【０００７】  この男性用排尿回収器具を使用するときは、ホースを曲げながら収納容器から排尿器を取り出してそこに放尿する。すると、放尿された尿は、ホースを通ってベッド下の尿瓶内に流れ込む。放尿が終わると、ホースを曲げながら排尿器を元の収納容器内に収める。すると、曲げられたホースが元の状態に戻ろうとする力が働くため、排尿器が収納容器から抜け落ちることなく保持される。また、排尿器を収めた収納容器は、寝床よりも高い位置に設置されているから、例えホース等に尿が残っていても、自然に落下して、床に設置された尿瓶に回収される。
【考案の効果】
【０００８】  本考案によれば、排尿器を収納する収納容器は、ベッドで横臥する人の手の届く範囲に置かれているので、高齢者でも、病人でも、寝たままで排尿器を取り出してそこに用を足すことができる。しかも、放尿された尿は、ホースを通ってベッド下の尿瓶に回収されるので、寝たままで用を足すことができる。また、収納容器に納められた排尿器は、曲げられたホースが元の状態に戻ろうとする力によって、排尿器上端の挿入口が収納容器上端部に常時塞がれるので、そこから臭気が漏れることはない。加えて、ホースを曲げるだけで、病人でも排尿器を収納容器から取り出したり、収めたりすることができるから、寝たままの姿勢で片手で簡単に使用できる効果がある。
【図面の簡単な説明】
【０００９】
【図１】本考案に係る男性用排尿回収器具の一実施形態を示す外観斜視図
【図２】上記実施形態の排尿器とそれを収納する収納容器の断面図
【図３】上記実施形態をベッドに設置した状態の正面図
【図４】上記実施形態をベッドに設置した状態の部分側面図
【考案を実施するための形態】
【００１０】  以下、本考案の一実施形態を、図面を参照しながら説明する。
【実施例】
【００１１】  図１、図２において、男性用排尿回収器具１は、排尿器２と、その排尿器２を収納する収納容器３と、床に設置される尿瓶４と、前記排尿器２に放出された尿を前記尿瓶４に流し込むホース５と、前記尿瓶４をベッドの下で固定する尿瓶受け６と、前記収納容器３をベッド７に固定する取付具８とを備えている。【００１２】  前記排尿器２は、直径が約７ｃｍ程度の円筒形であって、その上端部には、男性性器が入る大きさの挿入口２０が設けられ、その下端部は、漏斗状に成形され、その先端の排出口２１には、前記ホース５が接続されている。また、挿入口２０の縁には、ゴム製の緩衝材２２が設けられている。【００１３】  収納容器３は、前記排尿器２が内側に納まる大きさの円筒形であって、下端部３０が開口されてそこから排尿器２が挿入できるようになっている。また、上端部３１は、内側に凹んでおり、そこに内側から前記挿入口２０が当って、挿入口２０が塞がれるようになっている。
この収納容器３をベッド７に固定するときは、ベッド７で横臥する人が寝たまま使用できるようにするため、例えば、図３、図４に示すようなベッドの中央位置で、ベッド７の転落防止柵７０の上部に取付具８を介して取り付ける。【００１４】  尿瓶４は、尿を溜めることができれば、どのような形態のものでも構わないが、ここでは、市販されている一般的な尿瓶を用い、それを尿瓶受け６に入れてベッド７の下で固定する。固定するのは、ホース５を曲げた状態に維持しておくためである。【００１５】  ホース５は、弾力のある内径１６ｍｍ、厚みが２ｍｍ程度の透明なビニールホースを使っている。そのホース５の一端を排尿器２の排出口２１に差し込み、他端を尿瓶４の採尿口４０に被せるキャップ４１の上部貫通口に深く差し込んで、ホース５の先端部が尿瓶４内に深く入り込むようにしている。このキャップ４１は、尿瓶４から臭気が漏れるのを防ぐために、キャップ４１の内側が尿瓶４の採尿口４０の縁に密着するようになっている。また、ホース５の先端は、キャップ４１のからはみ出ないようにしている。これは、ホース５を尿瓶４から抜いたときに、ホース５の先端が床と直接接触するのを防止するためである。【００１６】  尿瓶受け６は、尿瓶４をベッド７の下で固定できるものであれば、どのような形態のものでも構わないが、それをベッド７の下に設置するときは、収納容器３に収められた排尿器２と尿瓶４との間に連結されたホース５が若干湾曲するような長さに調整しておく。これにより、曲げられたホース５は、元の姿勢に戻ろうとして、ホース５の上端に連結された排尿器２を収納容器３に向かって押し上げるように作用する。【００１７】  収納容器３をベッド７の転落防止柵７０に固定する取付具８は、柵７０に固定される補助具８０と、その補助具８０から斜め前方に伸びるアーム８１とで構成され、そのアーム８１の先端に収納容器３が取り付けられている。また、この取付具８は、ベッド７の右側でも左側でも勝手反対自在に柵７０に取り付けられるようになっている。【００１８】  この男性用排尿回収器具１を使用するときは、排尿器２を収納容器３内に収めた状態でホース５が若干曲がる状態に尿瓶４と尿瓶受け６とを位置決めする。その状態であれば、排尿器２の上端挿入口２０が収納容器３の上端の凹みに押し付けられて、常時、塞がった状態となる。そして、用を足すときは、ホース５を曲げながら、排尿器２を収納容器３から取り外して排尿する。その際、排尿器２に放出された尿が自然と尿瓶４に流れ込むように、排尿器２とホース５とを傾斜させる。そして、排尿が終わると、ホース５を曲げながら排尿器２を収納容器３内に収納する。すると、曲げられたホース５が元の状態に戻ろうとして排尿器２を収納容器３の上端部に押し上げる。これにより、排尿器２は、下に抜け落ちることもなく、また、排尿器２上端の挿入口２０も収納容器３の上端の凹みに押し付けられて臭気が漏れることもない。
こうして尿瓶４内に尿が溜まると、ホース５を尿瓶４から抜いて、溜まった尿をトイレに流して洗浄したのち、再び、尿瓶受け６にセットする。これにより、尿瓶４内に尿がある程度溜まるまで放置しておくことができるので、介護人にとっては負担が軽減される。
【符号の説明】
【００１９】１      男性用排尿回収器具
２      排尿器
３      収納容器
４      尿瓶
５      ホース
６      尿瓶受け
７      ベッド
８      取付具
【図１】
0003179991.tif 000003
【図２】
0003179991.tif 000004
【図３】
0003179991.tif 000005
【図４】
0003179991.tif 000006